【事件の表示】
　特願２００８−５４７３４０「低電力リモートコントローラとしての携帯型メディアプレーヤ、および、その方法」拒絶査定不服審判事件〔平成１９年　７月　５日国際公開、ＷＯ２００７／０７５３７６、平成２１年　５月２８日国内公表、特表２００９−５２１１８５〕について、次のとおり審決する。
【結　論】
　本件審判の請求は、成り立たない。
【理　由】
１　手続の経緯
　本願は、２００６年１２月１３日（パリ条約による優先権主張外国庁受理２００５年１２月２０日、米国）を国際出願日とする出願であって、平成２３年２月７日付け拒絶理由に対して同年６月２０日付けで手続補正がなされ、平成２４年１月１０日付けで拒絶査定された。
　本件は、上記拒絶査定を不服として平成２４年５月１４日付けで請求された拒絶査定不服審判である。
　
２　本願発明
　本願の特許請求の範囲の請求項１ないし２１に係る各発明は、平成２３年６月２０日付けの手続補正によって補正された特許請求の範囲、明細書及び図面の記載からみて、上記各請求項にそれぞれ記載されるとおりのものと認められるところ、請求項１に係る発明（以下「本願発明」という。）は次のとおりのものである。
　
［本願発明］（請求項１）
「携帯型マルチメディアプレーヤを利用して、メディアデータをメディア装置にストリーミングするよう構成されたメディアサーバに対する無線アクセスおよび／または制御を行う方法であって、
　前記携帯型マルチメディアプレーヤと前記メディアサーバとを関連付ける工程と、
　信号を前記携帯型マルチメディアプレーヤから前記メディアサーバに無線で伝送する工程と、
　受信した信号を用いて、無線インターフェースを介して、前記メディアデータを前記メディアサーバから前記メディア装置にストリーミングする工程と、
を有し、
　前記携帯型マルチメディアプレーヤは、少なくとも前記携帯型マルチメディアプレーヤからの信号に基づいて前記メディアデータのストリーミングを制御するよう構成され、
　前記携帯型マルチメディアプレーヤは自身にメディアアセットを格納し、前記格納されたメディアアセットの再生を制御するようにさらに構成される
ことを特徴とする方法」
　
３　刊行物発明
　これに対して、原査定の拒絶の理由に引用された国際公開第２００５／０３１６０５号（以下「刊行物」という。）には、図面と共に次のとおり記載されている。
　刊行物１頁２５行ないし２頁６行
「　　Many devices within a UPnP compliant network, such as a UPnP home network, contain various types of content that other devices in the network would like to access (e.g. music, videos, still images). As an example, a Media Server device might contain audio, video, and still-image libraries. In order for the user to enjoy this content, the user must be able to browse the objects stored on the Media Server, select a specific one, and cause it to be played on an appropriate rendering device (e.g. an audio player for music objects, a TV for video content, an Electronic Picture Frame for still-images). For maximum convenience, it is desirable to allow the user to initiate these operations from a variety of user interface (Ul) devices. In most cases, these Ul devices will either be a Ul built into the rendering device, or it will be a stand-alone Ul device such as a remote control unit, wireless personal digital assistant (PDA) or tablet. It is desirable that a user can access the content without having to interact directly with the device containing the content.」
　
　刊行物５頁１７行ないし７頁２７行
「　　Before describing the invention in detail, a conventional UPnP system will be briefly described. A more thorough explanation can be obtained from UPnP AV Architecture published by the UPnP Forum. The main components of a UPnP AV system are a Control Point (CP) 20, a Media Server (MS) 50 and a Media Renderer (MR) 60. All of these are logical entities: a physical device may include only one of these entities (e.g. a Control Point in the form of a remote control) or, more commonly, a combination of several of these entities. As an example, a CD player comprises a user interface and control circuitry for operating the player (a Control Point), apparatus for reading digital content from an optical disk (a Media Server) and apparatus for converting the digital content into an audio signal for presentation to a user (a Media Renderer). 
　　　Media Server (MS) 50 includes a store 52 of media content. The content can include audio, video, still images or a combination of these. The Media Server also supports a Content Directory Service (CDS) 55 which catalogues the content in store 52. The CDS is hierarchically organised in a manner similar to a computer file system. A container (analogous to a folder or directory) can include a plurality of objects (analogous to a file) and containers that are hierarchically one level lower. The object includes an object description with an identifier and optionally metadata. The metadata may include properties such as object name, artist, composer, date created, size, etc. The object may also include the object content (item) or include a locator, such as a URL, for locating the content. An example CDS structure is shown in Figure 9. Further functions of the Media Server 50 are a Connection Manager Service which is used to manage connections between the Media Server 50 and other devices, such as the Media Renderer 60. An optional AV Transport Service allows control of the playback of content, with features such as stop, pause, seek etc.
　　　Media Renderer (MR) 60 is responsible for rendering (reproducing) media content which is received from a Media Server 50. Reproduction equipment 62 is shown with a display 63 and speaker 64 although the output can take many forms. Typically, the reproduction equipment 62 includes one or more decoders, digital to analog converter and amplifiers. The Media Renderer 60 also supports a Connection Manager Service 65 for establishing a new connection with a Media Server and Render Control 61 for controlling the way in which the content is rendered. For audio reproduction this can include features such as a volume control. 
　　　Control Point (CP) 20 coordinates operation of the Media Server 50 and Media Renderer 60 and includes a user interface (Ul) 21 by which a user can select content. The Control Point 20 supports the conventional UPnP mechanisms for discovering new devices and also supports mechanisms for finding the capabilities of Media Rendering devices and establishing connections between a Media Server and a Media Renderer. The UPnP AV Architecture supports a wide variety of AV devices such as TVs, VCRs, CD/DVD players/jukeboxes, set-top boxes, stereo systems, MP3 players, still- image cameras, camcorders, electronic picture frames (EPFs), and the PC. The AV Architecture allows devices to support different types of formats for the entertainment content (such as MPEG2, MPEG4, JPEG, MP3, Windows Media Architecture (WMA), bitmaps (BMP), NTSC, PAL, ATSC, etc.) and multiple types of transfer protocols (such as IEC-61883/IEEE-1394, HTTP GET, RTP, HTTP PUT/POST, TCP/IP, etc.). 
　　　Multiple physical devices, each having one or more or the CP, MS and MR entities, can be operated together as a network. Figure 2 shows an example of a UPnP network which can represent a network of devices within a home. A Control Point 120, two Media Server devices 121, 122 and a Media Renderer device 140 are networked 110 together. The network 110 can be wired (e.g. Ethernet) or wireless (e.g. IEEE 802.11 , Bluetooth). The media content can be wholly located on servers within the home network 100 or it can be located outside the home network 100. Figure 2 shows a server 123 for storing content which is part of an external network 130, such as the Internet.This external server 123 is connected to the home network via a gateway 115. 
　　　Referring again to Figure 1 , this shows a conventional arrangement for accessing content over a UPnP network. The Media Server MS 50 maintains a Content Directory Service (CDS) 55 by interaction 31 with the local storage device 52. The Media Server 50 structures the CDS in a particular way, which may be dictated by the manufacturer of the MS. The CDS is updated as new content is added to the store 52. At some later time, a user interacts with user interface 21. Typically, the user interface 21 will present the user with a menu of possible options. As an example, an initial menu screen may ask the user whether they wish to retrieve an audio, video or image. In response to user selections at Ul 22, the CP makes an appropriate query 32 of the CDS 55 of the MS 50. MS 50 responds with the required listing of content. When the user selects a piece of content, the CP instructs the MS and the MR to arrange an appropriate connection 33, 34 and to begin streaming the content 35 from the MS to the MR.」
　
　訳を下記に示す。
　刊行物１頁２５行ないし２頁６行（刊行物のパテントファミリー特表２００７−５１３３９７号公報（以下、単に「ファミリー」という。）の段落【０００４】参照）
「　ＵＰｎＰホームネットワークなどのＵＰｎＰに準拠したネットワーク内の多くの装置は、ネットワークの他の装置がアクセスすることを所望する各種タイプのコンテンツ（音楽、映像、静止画像など）を有する。一例として、メディアサーバ装置は、音声、映像及び静止画像ライブラリを有するかもしれない。ユーザが当該コンテンツを利用するため、ユーザは、メディアサーバに格納されているオブジェクトをブラウズし、特定のものを選択し、適当なレンダリング装置（例えば、音楽オブジェクトについてはオーディオプレーヤー、映像コンテンツについてはテレビ、静止画像については電子写真フレームなど）上でそれを再生させる。利便性を最大にするため、ユーザは各種ユーザインタフェース（ＵＩ）装置から上記処理を開始することが望ましい。ほとんどの場合、これらＵＩ装置は、レンダリング装置に搭載されたＵＩであり、あるいは、リモコンユニット、無線携帯情報端末（ＰＤＡ）、タブレットなどの独立型のＵＩ装置であるだろう。ユーザがコンテンツを有する装置と直接やりとりする必要なく、当該コンテンツにアクセスすることが可能であることが望ましい。」（ファミリー【０００４】）
　
　刊行物５頁１７行ないし７頁２７行（刊行物のファミリーの段落【００１７】ないし【００２２】参照）
「　本発明を詳細に説明する前に、従来のＵＰｎＰシステムが概略的に説明される。より完全な説明は、ＵＰｎＰフォーラムにより発行された「ＵＰｎＰ  ＡＶ  Ａｒｃｈｉｔｅｃｔｕｒｅ」から取得することができる。ＵＰｎＰ  ＡＶシステムの主要なコンポーネントは、コントロールポイント（ＣＰ）２０と、メディアサーバ（ＭＳ）５０と、メディアレンダラ（ＭＲ）６０とである。これらのすべてが論理的エンティティである。すなわち、物理的装置が、これらエンティティの１つのみ（リモコン形式によるコントロールポイントなど）、又はより一般的にはこれらエンティティのいくつかの組み合わせを有するものであるかもしれない。一例として、ＣＤプレーヤーは、ユーザインタフェース、プレーヤーを動作させるための制御回路（コントロールポイント）、光ディスクからデジタルコンテンツを読み出す装置（メディアサーバ）、及びユーザに提供するため、デジタル信号を音声信号に変換する装置（メディアレンダラ）を有する。」（ファミリー【００１７】）
　
「　メディアサーバ（ＭＳ）５０は、メデイアコンテンツのストア５２を有する。コンテンツは、音声、映像、静止画像又はこれらの組み合わせを含むことが可能である。メディアサーバはまた、ストア５２のコンテンツをリストするコンテンツディレクトリサービス（ＣＤＳ）５５をサポートする。ＣＤＳは、コンピュータファイルシステムと同様に階層的に構成されている。コンテナ（フォルダ又はディレクトリに類似する）は、階層的に１レベルだけ下位にある複数のオブジェクト（ファイルに類似する）及びコンテナを有することが可能である。当該オブジェクトは、識別子と任意的にメタデータを有するオブジェクト記述を有する。メタデータは、オブジェクト名、アーティスト、作曲家、作成日、サイズなどのプロパティを有するものであってもよい。オブジェクトはまた、オブジェクトコンテンツ（アイテム）を有し、又は、コンテンツの位置を特定するＵＲＬなどのロケータを有するものであってもよい。メディアサーバ５０のさらなる機能は、メディアサーバ５０とメディアレンダラ６０などの他の装置との間の接続を管理するのに利用される接続マネージャサービスである。任意的なＡＶトランスポートサービスは、停止、一時停止、シークなどの機能によりコンテンツの再生を制御することを可能にする。」（ファミリー【００１８】）
　
「　メディアレンダラ（ＭＲ）６０は、メディアサーバ５０から受信されるメディアコンテンツをレンダリング（再生）するためのものである。その出力は多数の形式をとり得るが、ディスプレイ６３とスピーカー６４を備える再生装置６２が示される。典型的には、再生装置６２は、１以上のデコーダ、デジタル・アナログ変換器、及びアンプを有する。メディアレンダラ６０はまた、コンテンツがレンダリングされる方法を制御するレンダコントロール６１とメディアサーバとの新たな接続を確立する接続マネージャサービス６５をサポートする。音声の再生のため、これは、ボリュームコントロールなどの機能を有することが可能である。」（ファミリー【００１９】）
　
「　コントロールポイント（ＣＰ）２０は、メディアサーバ５０とメディアレンダラ６０の動作を協調させ、ユーザがコンテンツを選択することを可能にするユーザインタフェース（ＵＩ）２１を有する。コントロールポイント２０は、新たな装置を検出する従来のＵＰｎＰ機構をサポートし、またメディアレンダリング装置の機能を検出し、メディアサーバとメディアレンダラとの間の接続を確立する機構をサポートする。ＵＰｎＰ  ＡＶアーキテクチャは、テレビ、ＶＣＲ、ＣＤ／ＤＶＤプレーヤー／ジュークボックス、セットトップボックス、ステレオシステム、ＭＰ３プレーヤー、静止画像カメラ、カムコーダ、電子写真フレーム（ＥＰＦ）、ＰＣなどの広範なＡＶ装置をサポートする。ＡＶアーキテクチャは、各装置が娯楽コンテンツのための各種タイプのフォーマット（ＭＰＥＧ２、ＭＰＥＧ４、ＪＰＥＧ、ＭＰ３、ＷＭＡ（Ｗｉｎｄｏｗｓ（登録商標）  Ｍｅｄｉａ  Ａｒｃｈｉｔｅｃｔｕｒｅ）、ビットマップ（ＢＭＰ）、ＮＴＳＣ、ＰＡＬ、ＡＴＳＣなど）と、各種タイプの転送プロトコル（ＩＥＣ−６１８８３／ＩＥＥＥ−１３９４、ＨＴＴＰ  ＧＥＴ、ＲＴＰ、ＨＴＴＰ  ＰＵＴ／ＰＯＳＴ、ＴＣＰ／ＩＰなど）をサポートすることを可能にする。」（ファミリー【００２０】）
　
「　各々がＣＰ、ＭＳ及びＭＲエンティティの１以上を有する複数の物理的装置は、ネットワークとして協調することが可能である。図２は、家庭内の装置ネットワークを表すことが可能なＵＰｎＰネットワークの具体例を示す。コントロールポイント１２０、２つのメディアサーバ装置１２１と１２２及びメディアレンダラ装置１４０は、一体的にネットワーク１１０を介し接続されている。ネットワーク１１０は、有線（イーサネット（登録商標）など）又は無線（ＩＥＥＥ８０２．１１、Ｂｌｕｅｔｏｏｔｈなど）とすることができる。メディアコンテンツは、ホームネットワーク１００内のサーバ上にすべてを配置することが可能であり、又は、ホームネットワーク１１０の外部に配置することも可能である。図２は、インターネットなどの外部ネットワーク１３０の一部であるコンテンツを格納するためのサーバ１２３を示す。この外部サーバ１２３は、ゲートウェイ１１５を介しホームネットワークに接続される。」（ファミリー【００２１】）
　
「　図１を再び参照するに、これは、ＵＰｎＰネットワークを介しコンテンツにアクセスするための従来の構成を示す。メディアサーバＭＳ５０は、ローカル記憶装置５２とやりとりすることにより（３１）、コンテンツディレクトリサービス（ＣＤＳ）５５を維持する。メディアサーバ５０は、ＭＳのメーカーにより決定される方法によりＣＤＳを構成する。ＣＤＳは、新たなコンテンツがストア５２に追加されるごとに更新される。以降のある時点において、ユーザはユーザインタフェース２１とやりとりする。典型的には、ユーザインタフェース２１は、ユーザに可能な選択肢のメニューを提示する。一例として、初期的なメニュー画面は、ユーザに音声、映像又は画像を抽出することを所望しているか問い合わせするかもしれない。ＵＩ２２（ＵＩ２１の誤記）におけるユーザ選択に応答して、ＣＰは、ＭＳ５０のＣＤＳ５５に適切なクエリ３２を行う。ＭＳ５０は、コンテンツの必要な列挙により応答する。ユーザがコンテンツの一部を選択するとき、ＣＰは、ＭＳ及びＭＲに適切な接続３３と３４を構成し、ＭＳからＭＲへのコンテンツ３５のストリーミングを開始するよう指示する。」（ファミリー【００２２】）
　
　上記刊行物の記載について、そのファミリーの段落を参照して検討する。
　
・上記刊行物に記載の「コントロールポイント（ＣＰ）２０」と「メディアサーバ（ＭＳ）５０」と「メディアレンダラ（ＭＲ）６０」について
　
　上記段落【００１７】には、ＵＰｎＰ  ＡＶシステムの主要なコンポーネントは、「コントロールポイント（ＣＰ）２０」と、「メディアサーバ（ＭＳ）５０」と、「メディアレンダラ（ＭＲ）６０」であると記載されている。（図１参照）
　上記段落【００１８】には、「メディアサーバ（ＭＳ）５０」は、メデイアコンテンツのストア５２を有すると記載され、また、「メディアサーバ（ＭＳ）５０」は、停止、一時停止、シークなどの機能によりコンテンツの再生を制御することが記載されている。
　上記段落【００１９】には、「メディアレンダラ（ＭＲ）６０」は、メディアサーバ５０から受信されるメディアコンテンツをレンダリング（再生）するためのものであると記載され、また、「メディアレンダラ（ＭＲ）６０」は、音声の再生のため、ボリュームコントロールなどの機能を有することが記載されている。
　上記段落【００２０】には、「コントロールポイント（ＣＰ）２０」は、ユーザがコンテンツを選択することを可能にするユーザインタフェース（ＵＩ）２１を有し、「メディアサーバ」と「メディアレンダラ」との間の接続を確立する機構をサポートする、と記載されている。
　上記段落【０００４】には、ユーザインタフェース（ＵＩ）として「無線携帯情報端末（ＰＤＡ）」が挙げられており、ユーザは、「メディアサーバ」に格納されているオブジェクトをブラウズし、特定のものを選択し、適当な「レンダリング装置（オーディオプレーヤー）」上でそれを再生させる処理を「無線携帯情報端末（ＰＤＡ）」から開始すると記載されている。
　以上の記載からみて、刊行物には、コントロールポイント（ＣＰ２０）におけるユーザインタフェース（ＵＩ２１）である無線携帯情報端末（ＰＤＡ）は、メディアサーバ（ＭＳ）に格納されているオブジェクト（メデイアコンテンツ）をブラウズし、特定のものを選択し、メディアコンテンツをレンダリング（再生）するレンダリング装置（ＭＲ）上でそれを再生させる処理を開始させ、再生を制御し、コントロールポイント（ＣＰ２０）は、メディアサーバ（ＭＳ）とメディアレンダラ（ＭＲ）との間の接続を確立する方法が記載されているといえる。
　
・上記刊行物に記載の「ネットワーク」について
　上記段落【０００４】には、ＵＰｎＰホームネットワークが記載され、上記段落【００２１】には、家庭内の装置ネットワークについて、ネットワークを無線（Ｂｌｕｅｔｏｏｔｈ）とすることが記載されている。
　上記段落【００２２】には、ＵＰｎＰネットワークを介しコンテンツにアクセスするための従来の構成が記載され、ユーザインタフェース２１は、ユーザに可能な選択肢のメニューを提示し、ユーザ選択に応答して、ＣＰは、ＭＳ５０のＣＤＳ５５に適切なクエリ３２を行い、ＭＳ５０は、コンテンツの必要な列挙により応答し、ユーザがコンテンツの一部を選択するとき、ＣＰは、ＭＳ及びＭＲに適切な接続３３と３４を構成し、ＭＳからＭＲへのコンテンツ３５のストリーミングを開始するよう指示すると記載されている。
　以上の記載からみて、刊行物には、無線（Ｂｌｕｅｔｏｏｔｈ）ネットワークにおいて、コンテンツにアクセスするために、ユーザインタフェース（２１）を有するコントロールポイント（ＣＰ）は、ユーザ選択に応答して、メディアサーバ（ＭＳ５０）に適切なクエリ（３２）を行い、ユーザがコンテンツの一部を選択するとき、メディアサーバ（ＭＳ）及びメディアレンダラ（ＭＲ）に適切な接続（３３と３４）を構成し、メディアサーバ（ＭＳ）からメディアレンダラ（ＭＲ）へのコンテンツ（３５）のストリーミングを開始するよう指示する方法が記載されているといえる。
　
　したがって、刊行物には、次のとおりの発明（以下「刊行物発明」という。）が記載されていると認められる。
「無線（Ｂｌｕｅｔｏｏｔｈ）ネットワークにおいて、
　コンテンツにアクセスするために、ユーザインタフェース（２１）を有するコントロールポイント（ＣＰ）は、ユーザ選択に応答して、メディアサーバ（ＭＳ５０）に適切なクエリ（３２）を行い、ユーザがコンテンツの一部を選択するとき、メディアサーバ（ＭＳ）及びメディアレンダラ（ＭＲ）に適切な接続（３３と３４）を構成し、メディアサーバ（ＭＳ）からメディアレンダラ（ＭＲ）へのコンテンツ（３５）のストリーミングを開始するよう指示する方法であって、
　コントロールポイント（ＣＰ２０）におけるユーザインタフェース（ＵＩ２１）である無線携帯情報端末（ＰＤＡ）は、メディアサーバ（ＭＳ）に格納されているオブジェクト（メデイアコンテンツ）をブラウズし、特定のものを選択し、メディアコンテンツをレンダリング（再生）するレンダリング装置（ＭＲ）上でそれを再生させる処理を開始させ、再生を制御し、コントロールポイント（ＣＰ２０）は、メディアサーバ（ＭＳ）とメディアレンダラ（ＭＲ）との間の接続を確立する方法」
　
４　対比
　本願発明と刊行物発明とを対比する。
　
（１）本願発明における「携帯型マルチメディアプレーヤを利用して、メディアデータをメディア装置にストリーミングするよう構成されたメディアサーバに対する無線アクセスおよび／または制御を行う方法」について
　
　刊行物発明における無線携帯情報端末（ＰＤＡ）は、無線（Ｂｌｕｅｔｏｏｔｈ）ネットワークにおいて、コンテンツにアクセスするために、メディアサーバ（ＭＳ）に格納されているメディアコンテンツをレンダリング装置（ＭＲ）上で再生し、制御するために、メディアサーバ（ＭＳ）からメディアレンダラ（ＭＲ）へのコンテンツ（３５）のストリーミングを開始開始するよう指示する。
　したがって、本願発明における「携帯型マルチメディアプレーヤ」は、刊行物発明における「無線携帯情報端末（ＰＤＡ）」に、「携帯機器」として一応対応する。
　しかし、本願発明における「携帯型マルチメディアプレーヤ」は「自身にメディアアセットを格納し、前記格納されたメディアアセットの再生を制御するようにさらに構成される」のに対して、刊行物発明における「無線携帯情報端末（ＰＤＡ）」は、このように構成されるとしていない点で相違する。
　以下に、本願発明における事項と刊行物発明における事項とで相当する事項を示す。
　本願発明における「メディアデータ」は、刊行物発明における「メディアコンテンツ」に相当し、本願発明における「メディア装置」は、刊行物発明における「レンダリング装置（ＭＲ）」に相当し、本願発明における「メディアサーバ」は、刊行物発明における「メディアサーバ（ＭＳ）」に相当し、本願発明における「メディアサーバに対する無線アクセスおよび／または制御」は、刊行物発明における「無線（Ｂｌｕｅｔｏｏｔｈ）ネットワークにおいて、メディアサーバ（ＭＳ）に格納されているメディアコンテンツにアクセスして、メディアコンテンツをレンダリング装置（ＭＲ）上で再生し、制御」に相当する。
　
（２）本願発明における「前記携帯型マルチメディアプレーヤと前記メディアサーバとを関連付ける工程」について
　
　刊行物発明においては、コントロールポイント（ＣＰ２０）は、メディアサーバ（ＭＳ）とメディアレンダラ（ＭＲ）との間の接続を確立するとしているが、コントロールポイント（ＣＰ２０）におけるユーザインタフェース（ＵＩ２１）である無線携帯情報端末（ＰＤＡ）とメディアサーバ（ＭＳ）とを関連付けるとしていない点で本願発明と相違する。
　
（３）本願発明における「信号を前記携帯型マルチメディアプレーヤから前記メディアサーバに無線で伝送する工程」について
　
　刊行物発明において、ユーザインタフェース（２１）を有するコントロールポイント（ＣＰ）は、ユーザ選択に応答して、メディアサーバ（ＭＳ５０）に適切なクエリ（３２）を行う、すなわち、コントロールポイント（ＣＰ２０）におけるユーザインタフェース（ＵＩ２１）である無線携帯情報端末（ＰＤＡ）は、メディアサーバ（ＭＳ５０）に適切なクエリ（３２）を行っている。
　したがって、刊行物発明においては、クエリ（信号）を無線携帯情報端末（ＰＤＡ）からメディアサーバ（ＭＳ５０）に無線で伝送しているといえる。
　なお、本願発明における「携帯型マルチメディアプレーヤ」と刊行物発明における「無線携帯情報端末（ＰＤＡ）」とは、前記したような相違が認められる。
　
（４）本願発明における「受信した信号を用いて、無線インターフェースを介して、前記メディアデータを前記メディアサーバから前記メディア装置にストリーミングする工程」について
　
　刊行物発明においては、無線（Ｂｌｕｅｔｏｏｔｈ）ネットワークにおいて、適切なクエリ（３２）を用いて、メディアサーバ（ＭＳ）からメディアレンダラ（ＭＲ）へのコンテンツ（３５）のストリーミングを開始するから、上記本願発明における「受信した信号を用いて、無線インターフェースを介して、前記メディアデータを前記メディアサーバから前記メディア装置にストリーミングする工程」が記載されているといえる。
　
（５）本願発明における「前記携帯型マルチメディアプレーヤは、少なくとも前記携帯型マルチメディアプレーヤからの信号に基づいて前記メディアデータのストリーミングを制御するよう構成」について
　
　刊行物発明における「無線携帯情報端末（ＰＤＡ）」は、メディアサーバ（ＭＳ５０）に適切なクエリ（３２）を行い、メディアサーバ（ＭＳ）からメディアレンダラ（ＭＲ）へのコンテンツ（３５）のストリーミングを開始し、メディアコンテンツをレンダリング（再生）するレンダリング装置（ＭＲ）上でそれを再生させ、再生を制御するから、本願発明における「前記携帯型マルチメディアプレーヤ」と刊行物発明における「無線携帯情報端末（ＰＤＡ）」との前記した相違点を除くと、刊行物発明においては、上記本願発明における「前記携帯型マルチメディアプレーヤは、少なくとも前記携帯型マルチメディアプレーヤからの信号に基づいて前記メディアデータのストリーミングを制御するよう構成」を備えているといえる。
　
（６）本願発明における「前記携帯型マルチメディアプレーヤは自身にメディアアセットを格納し、前記格納されたメディアアセットの再生を制御するようにさらに構成される」について
　
　刊行物発明における「無線携帯情報端末（ＰＤＡ）」は、本願発明における「前記携帯型マルチメディアプレーヤ」のように、「自身にメディアアセットを格納し、格納されたメディアアセットの再生を制御するようにさらに構成される」としていない点で相違する。
　
（７）一致点相違点
　以上のとおりであるから、本願発明と刊行物発明との一致点、相違点は次のとおりであると認められる。
　
〈一致点〉
「携帯機器を利用して、メディアデータをメディア装置にストリーミングするよう構成されたメディアサーバに対する無線アクセスおよび／または制御を行う方法であって、
　信号を前記携帯機器から前記メディアサーバに無線で伝送する工程と、
　受信した信号を用いて、無線インターフェースを介して、前記メディアデータを前記メディアサーバから前記メディア装置にストリーミングする工程と、
を有し、
　前記携帯機器は、少なくとも前記携帯機器からの信号に基づいて前記メディアデータのストリーミングを制御するよう構成される
ことを特徴とする方法。」
　
〈相違点〉
（相違点１）
　前記「携帯機器」が、本願発明においては、「携帯型マルチメディアプレーヤ」であって、「携帯型マルチメディアプレーヤは自身にメディアアセットを格納し、前記格納されたメディアアセットの再生を制御するようにさらに構成される」のに対して、刊行物発明においては、「無線携帯情報端末（ＰＤＡ）」であって、「無線携帯情報端末（ＰＤＡ）は自身にメディアアセット（曲）を格納し、前記格納されたメディアアセットの再生を制御するようにさらに構成される」としていない点。
　
（相違点２）
　「信号を前記携帯機器から前記メディアサーバに無線で伝送する工程」の前に、本願発明においては、「前記携帯型マルチメディアプレーヤと前記メディアサーバとを関連付ける工程」を有するのに対して、刊行物発明においては、そのようにしていない点。
　
５　判断
（１）相違点１について
　刊行物には、
「利便性を最大にするため、ユーザは各種ユーザインタフェース（ＵＩ）装置から上記処理を開始することが望ましい。ほとんどの場合、これらＵＩ装置は、レンダリング装置に搭載されたＵＩであり、あるいは、リモコンユニット、無線携帯情報端末（ＰＤＡ）、タブレットなどの独立型のＵＩ装置であるだろう。」（ファミリー【０００４】）
　と記載され、ＵＩ装置が「レンダリング装置に搭載された」ものであること、あるいは、リモコンユニット、無線携帯情報端末（ＰＤＡ）、タブレットなどの独立型のＵＩ装置であると説明している。
　ここで「レンダリング装置」はオーディオプレイヤー、テレビなどの固定型の機器をいうものと認められ、リモコンユニット、無線携帯情報端末（ＰＤＡ）、タブレットなどは、固定型の機器に対して「独立型のＵＩ装置」としており、刊行物発明において無線携帯情報端末（ＰＤＡ）を用いるのは、「独立型のＵＩ装置」の一例として用いているといえる。
　このことから、刊行物には、ＵＩを「独立型のＵＩ装置」すなわち、固定されずに携帯できる装置にしようとする示唆が認められ、そのことで、ユーザが固定型の機器の場所に行かなくとも、離れた場所から制御を行えるという利便性が普通に理解される。
　
　一方、本願発明における「携帯型マルチメディアプレーヤ」は、携帯機器として周知である。
　また、刊行物発明における「無線携帯情報端末（ＰＤＡ）」は、従来から音楽プレーヤとしても利用され、格納された音楽（曲）の再生やその制御が行われることはよく知られており（例えば下記文献）、音楽もマルチメディアの一つのメディアといえ、「無線携帯情報端末（ＰＤＡ）」は携帯型のメディアプレーヤーとしても知られていたものといえる。
　
　そうであるから、携帯型のメディアプレーヤーとして共通した用いられ方をする「携帯型マルチメディアプレーヤ」を、携帯型のメディアプレーヤーとしても知られた「無線携帯情報端末（ＰＤＡ）」の代わりにすることで、携帯できる装置としての「無線携帯情報端末（ＰＤＡ）」から操作する利便性を得ようとすることは、当業者が容易に想到できることといえる。
　
［文献］（原査定の理由で引用された特開２００３−２８１１６９号公報）
「【００１１】
【発明の実施の形態】以下、図面を参照して本発明の実施の形態を説明する。図１は本発明の一実施形態に係る携帯型コンテンツ再生装置の外観が示されている。この携帯型コンテンツ再生装置１１は例えば音楽プレイヤ、ＰＤＡなどの携帯型電子機器によって実現されるものであり、内蔵バッテリによって動作可能に構成されている。この携帯型コンテンツ再生装置１１の本体表面には、図示のように、ディスプレイ１２、操作ボタン１３、スピーカ１７が配置されている。またその本体側面上には、メモリカードなどの外部記憶メディア２１を着脱自在に装着可能なカードスロット１５が設けられている。」
　上記記載によると、携帯型音楽コンテンツの再生装置（図１を参照）がＰＤＡによって実現されると記載されている。
　
（２）相違点２について
　刊行物発明は、無線（Ｂｌｕｅｔｏｏｔｈ）ネットワークを使用するものであり、本願明細の段落【００１６】には、ネットワーク規格としてＢｌｕｅｔｏｏｔｈ規格が挙げられている。
　したがって、刊行物発明において、クエリ（信号）を無線携帯情報端末（ＰＤＡ）からメディアサーバに無線で伝送する工程の前に、Ｂｌｕｅｔｏｏｔｈ規格に基づいて、無線携帯情報端末（ＰＤＡ）とメディアサーバとを関連付ける工程を行うことは、当業者が容易になし得ることである。
　また、「無線携帯情報端末（ＰＤＡ）」を「携帯型マルチメディアプレーヤ」とすることは、前記相違点１で検討した。
　以上のとおりであるから、前記「信号を前記携帯機器から前記メディアサーバに無線で伝送する工程」の前に、「前記携帯型マルチメディアプレーヤと前記メディアサーバとを関連付ける工程」を有するとすることは、当業者が容易になし得ることである。
　
（３）総合
　以上判断したとおり、本願発明の刊行物発明に対する相違点はいずれも当業者が容易に想到し得るといえるものである。
　また、本願発明の効果についてみても、当業者が予測し得るものと認められる。
　したがって、本願発明は刊行物に記載された発明に基づいて当業者が容易に発明をすることができたものである。
　
６　むすび
　以上のとおり、本願の請求項１に係る発明は、刊行物に記載された発明に基づいて当業者が容易に発明をすることができたものであるから、特許法第２９条第２項の規定により特許を受けることができない。
　したがって、本願は他の請求項に係る発明について特に検討するまでもなく拒絶されるべきものである。
　よって、結論のとおり審決する。